(57)【要約】  【課題】  フィルタ清掃を必要とする時期を経過しても、利用者がフィルタ清掃を行うことが出来ない期間が生じることを防止するため、利用者の生活パターンに応じて適切な時期にフィルタ清掃を促す通知を行う空気調和機を提供する。【解決手段】空気調和機は、計時部で計時されている現在日時と現在曜日と、記憶部に記憶されている利用者の清掃可能曜日と積算運転時間と積算運転時間の積算開始日に基づいて、積算開始日から現在日付までの１日当たりの平均積算運転時間と、同平均積算運転時間を次の清掃可能曜日までの日数で乗算した、積算開始日から次の清掃可能曜日までの予測空調運転時間を算出する。そして、予測空調運転時間に現在日時までの積算運転時間を加算した予測積算運転時間が積算運転時間の上限値以上である場合に、通知部からフィルタ清掃を促す通知を行う。【選択図】図３
2016151368.tif 000002
【特許請求の範囲】
【請求項１】
空調運転時間を積算した積算運転時間が所定の上限値に達した時、フィルタの清掃を促す通知をする空気調和機において、前記空気調和機は、現在日時と現在曜日と前記積算運転時間を得るための空調運転時間を計時する計時部と、フィルタ清掃が可能な曜日である清掃可能曜日の入力を受付ける入力部と、前記清掃可能曜日と前記積算運転時間と同積算運転時間の上限値と同積算運転時間の積算開始日を記憶する記憶部と、フィルタの清掃を促す通知をする通知部と、これらを制御する制御部を備え、前記制御部は、前記記憶部に前記清掃可能曜日が記憶されている場合、前記積算運転時間の積算開始日から前記現在日時の日付までの日数で前記積算運転時間を除算した１日当たりの平均運転時間を算出し、前記現在日時の日付から次に到来する前記清掃可能曜日までの日数に、同１日当たりの平均運転時間を乗算して前記清掃可能曜日までに予測される予測空調運転時間を算出し、同予測空調運転時間に前記積算運転時間を加算した予測積算運転時間を算出し、前記予測積算運転時間が前記積算運転時間の上限値以上となった時、前記通知部が前記フィルタの清掃を促す通知をすることを特徴とする空気調和機。
【発明の詳細な説明】
【技術分野】
【０００１】
本発明は、フィルタの清掃を促す通知をする空気調和機に関するものである。
【背景技術】
【０００２】
空気調和機の室内機は、空気中に含まれるホコリ等が装置内に進入することを防ぐために、空気吸込口にフィルタが設けられている。このフィルタには空気調和機を長時間運転させていると多くのホコリ等が付着して目詰まりし、目詰まりを放置して運転を継続すると運転能力の低下や消費電力の増大を招く。
【０００３】
このような不具合を生じさせないため空気調和機は、空調運転の積算時間が所定の時間に達したときに利用者へフィルタの清掃を促す通知を行うようになっている。また、フィルタ清掃を促す通知を行った後のフィルタの清掃が行われるまでの経過時間に応じて、段階的に強い督促の通知を行う空気調和機が提案されている。（例えば、特許文献１参照）。
【先行技術文献】
【特許文献】
【０００４】
【特許文献１】特開２０１３−１７７９９７号公報（第６〜７頁、図４）
【発明の概要】
【発明が解決しようとする課題】
【０００５】
特許文献１によれば、フィルタ清掃を促す通知からフィルタの清掃が行われるまでの経過時間に応じて、段階的に強い督促を通知するため、利用者にフィルタ清掃の重要さを訴えて清掃を促すことができる。
【０００６】
しかし、例えば土曜、日曜の休日でなければフィルタを清掃することが出来ないなど、利用者の生活パターンによっては清掃の重要性を認識することができたとしても、清掃を行うタイミングが限られている場合があり、このような利用者に対して清掃を強く督促しても清掃時期を早める効果は少ない。また、清掃を行うタイミングが限られている場合には所定の積算運転時間を経過してもフィルタの清掃が行われない事があり、運転能力の低下や消費電力の増大を招くという問題があった。
【０００７】
本発明は以上述べた問題点を解決し、利用者の生活パターンに応じて適切な時期にフィルタ清掃を促す通知を行う空気調和機を提供することを目的とする。
【課題を解決するための手段】
【０００８】
本発明は上述の課題を解決するため、空調運転時間を積算した積算運転時間が所定の上限値に達した時、フィルタの清掃を促す通知をする空気調和機において、前記空気調和機は、現在日時と現在曜日と前記積算運転時間を得るための空調運転時間を計時する計時部と、フィルタ清掃が可能な曜日である清掃可能曜日の入力を受付ける入力部と、前記清掃可能曜日と前記積算運転時間と同積算運転時間の上限値と同積算運転時間の積算開始日を記憶する記憶部と、フィルタの清掃を促す通知をする通知部と、これらを制御する制御部を備え、前記制御部は、前記記憶部に前記清掃可能曜日が記憶されている場合、前記積算運転時間の積算開始日から前記現在日時の日付までの日数で前記積算運転時間を除算した１日当たりの平均運転時間を算出し、前記現在日時の日付から次に到来する前記清掃可能曜日までの日数に、同１日当たりの平均運転時間を乗算して前記清掃可能曜日までに予測される予測空調運転時間を算出し、同予測空調運転時間に前記積算運転時間を加算した予測積算運転時間を算出し、前記予測積算運転時間が前記積算運転時間の上限値以上となった時、前記通知部が前記フィルタの清掃を促す通知をすることを特徴とする。
【発明の効果】
【０００９】
以上の手段を用いることにより、本発明による空気調和機によれば、利用者は自らが設定したフィルタ清掃の可能な曜日までに予測される積算運転時間が所定の上限値に達する時期に、フィルタ清掃の通知を受けることができる。このため、フィルタ清掃が必要な時期を経過するよりも前にフィルタの清掃が行われ易くなり、空調運転の省エネ性を高めることができる。
【図面の簡単な説明】
【００１０】
【図１】本発明による空気調和機の概略構成を示すブロック図である。
【図２】本発明による空気調和機の清掃可能曜日に対するフィルタの清掃を促す時期の判定方法を説明する説明図である。
【図３】本発明による空気調和機のフィルタ清掃通知に係る処理を説明するフローチャートである。
【発明を実施するための形態】
【００１１】
以下、本発明の実施の形態を、添付図面に基づいた実施例として詳細に説明する。なお
、本発明は以下の実施形態に限定されることなく、本発明の主旨を逸脱しない範囲で種々変形することが可能である。
【００１２】
図１は、本発明による空気調和機の概略構成を示すブロック図である。図１において空気調和機１は、冷暖房などを行う部屋に設置される室内機１０と、屋外に設置される室外機２０と、利用者が空気調和機１の操作に使用するリモコン３０とで構成される。
【００１３】
室内機１０は、利用者からの操作を受付けるスイッチ類である入力部１１と、現在日時と現在曜日と空調運転の積算運転時間を得るための時間を計時する計時部１２と、利用者にフィルタ清掃を促す通知などを行う表示灯などの通知部１３と、積算運転時間やフィルタ清掃を必要とする時期である積算運転時間の上限値などの運転情報を予め記憶する記憶部１４と、室外機２０との通信を行う通信部１５と、リモコン３０との通信を行うリモコン通信部１６と、これらを制御する制御部１７とを備えている。
【００１４】
リモコン３０からは、利用者がフィルタの清掃を行うことができる曜日の設定が行えるようになっており、制御部１７はリモコン通信部１６を介してリモコン３０からフィルタの清掃を行うことができる曜日の入力を受付けると、記憶部１４にその曜日をフィルタの清掃可能曜日として記憶する。また、制御部１７は空調運転が開始されると計時部１２に空調運転時間の計時を開始させ、計時部１２で計時させた空調運転時間を記憶部１４に記憶されている積算運転時間に逐次加算して記憶する。
【００１５】
また入力部１１は、利用者がフィルタ清掃を行った後、フィルタ清掃を促す通知を解除する操作ができるようになっており、制御部１７は入力部１１からフィルタ清掃を促す通知の解除を受付けると、通知部１３の表示灯を消灯するなどしてフィルタ清掃を促す通知を解除するともに、計時部１２で計時している空調運転時間をリセットして新たに空調運転時間の計時を開始させ、記憶部１４に新たに計時する積算運転時間の積算開始日時として現在日時を記憶する。
【００１６】
なお制御部１７は、記憶部１４にフィルタの清掃可能曜日が記憶されると、その後の空調運転中に、計時部１２で計時している現在日時と、記憶部１４に記憶されているフィルタの清掃可能曜日と積算運転時間と積算運転時間の積算開始日から、現在日時の次に到来する清掃可能曜日までに予測される予測積算運転時間を算出し、フィルタ清掃の通知時期であるか否かの判定を逐次行うようになっている。また、フィルタ清掃の通知時期であると判定した場合には、通知部１３の表示灯などを点灯するなどしてフィルタの清掃を促す通知をさせる。
【００１７】
図２は、本発明による空気調和機１の清掃可能曜日に対するフィルタの清掃を促す時期の判定方法を説明する説明図である。図２のグラフは縦軸に積算運転時間、横軸に日付と曜日を示し、空気調和機１の記憶部１４に記憶された積算運転時間の遷移を実線の折れ線で示している。
【００１８】
図２に示す実線の折れ線は、８月２３日を積算運転時間の積算開始日として、積算運転時間が８月２４日に８時間、８月２５日に１８時間、８月２６日に３２時間に達した状態である。
【００１９】
また、説明の前提条件として、フィルタ清掃を必要とする積算運転時間の上限値として６４時間が、清掃可能曜日として土曜日が記憶部１４に記憶され、空調運転中に逐次フィルタの清掃を促す時期の判定を行っているものとする。
【００２０】
まず、８月２５日に積算運転時間が１８時間となった時点では、制御部１７は現在日付の（８月２５日）以降に到来する次の清掃可能曜日（８月３０日）までに予測される図２の点線（１）に示す積算運転時間を予測するための演算を行う。
【００２１】
具体的には、制御部１７は記憶部１４に記憶されている清掃可能曜日のデータ（土曜日）を参照し、計時部１２で計時されている現在の曜日（月曜日）を読込み、読込んだ（月曜日）から、参照した清掃可能曜日（土曜日）までの日数（現在日付以降に到来する次の清掃可能曜日までの日数）を「６日」と算出する。
【００２２】
次に制御部１７は、記憶部１４に記憶されている積算運転時間の積算開始日のデータ（８月２３日）を参照し、計時部１２で計時されている現在の日付（８月２５日）を読込み、（８月２３日）から（８月２５日）までの日数（積算開始日から現在の日付までの経過日数）を現在の日付から積算運転時間の積算開始日の日付を減算することで「３日」と算出する。
【００２３】
続いて制御部１７は、記憶部１４に記憶されている積算運転時間のデータ（１８時間）を参照し、この積算運転時間（１８時間）を既に算出していた積算開始日からの経過日数である「３日」で除算することで、１日当たりの平均積算運転時間として「６時間」を算出する。さらに、１日当たりの平均積算運転時間「６時間」に既に算出していた現在日付以降に到来する次の清掃可能曜日までの日数「６日」を乗算することで、図２の両矢印（１）に示す現在の日付から次の清掃可能曜日までの予測空調運転時間として「３６時間」を算出する。
【００２４】
続いて制御部１７は、算出した現在の日付から次の清掃可能曜日までの予測空調運転時間「３６時間」に、記憶部１４から参照していた積算運転時間（１８時間）を加算することで、図２の点線（１）に示す積算運転時間の積算開始日から次の清掃可能曜日までの予測積算運転時間として「５４時間」を算出する。
【００２５】
そして制御部１７は、記憶部１４に記憶されているフィルタ清掃を必要とする積算運転時間の上限値のデータ（６４時間）を参照し、既に算出していた積算運転時間の積算開始日から次の清掃可能曜日までの予測積算運転時間「５４時間」と比較し、「５４時間」が（６４時間）未満であるため、次の清掃可能曜日までにフィルタ清掃を必要とする積算運転時間の上限値に達しないと判定し、フィルタの清掃を促す通知をしない。
【００２６】
次に、８月２６日に積算運転時間が３２時間となった時点では、制御部１７は現在日付の（８月２６日）以降に到来する次の清掃可能曜日（８月３０日）までに予測される図２の点線（２）に示す積算運転時間を予測するための演算を行う。
【００２７】
具体的には、制御部１７は記憶部１４に記憶されている清掃可能曜日のデータ（土曜日）を参照し、計時部１２で計時されている現在の曜日（火曜日）を読込み、読込んだ（火曜日）から、次の清掃可能曜日（土曜日）までの日数（現在日付以降に到来する次の清掃可能曜日までの日数）を「５日」と算出する。
【００２８】
次に制御部１７は、記憶部１４に記憶されている積算運転時間の積算開始日のデータ（８月２３日）を参照し、計時部１２で計時されている現在の日付（８月２６日）を読込み、（８月２３日）から（８月２６日）までの日数（積算開始日から現在の日付までの経過日数）を現在の日付から積算運転時間の積算開始日の日付を減算することで「４日」と算出する。
【００２９】
続いて制御部１７は、記憶部１４に記憶されている積算運転時間のデータ（３２時間）を参照し、この積算運転時間（３２時間）を既に算出していた積算開始日からの経過日数である「４日」で除算することで、１日当たりの平均積算運転時間として「８時間」を算出する。さらに、１日当たりの平均積算運転時間「８時間」に既に算出していた現在日付以降に到来する次の清掃可能曜日までの日数「５日」を乗算することで、図２の両矢印（２）に示す現在の日付から次の清掃可能曜日までの予測空調運転時間として「４０時間」を算出する。
【００３０】
続いて制御部１７は、算出した現在の日付から次の清掃可能曜日までの予測空調運転時間「４０時間」に、記憶部１４から参照していた積算運転時間（３２時間）を加算することで、図２の点線（２）に示す積算運転時間の積算開始日から次の清掃可能曜日までの予測積算運転時間として「７２時間」を算出する。
【００３１】
そして制御部１７は、記憶部１４に記憶されているフィルタ清掃を必要とする積算運転時間の上限値のデータ（６４時間）を参照し、既に算出していた積算運転時間の積算開始日から次の清掃可能曜日までの予測積算運転時間「７２時間」と比較し、「７２時間」が（６４時間）以上であるため、次の清掃可能曜日までにフィルタ清掃を必要とする積算運転時間の上限値に達すると判定し、判定した結果を基に通知部１３にフィルタの清掃を促す通知をする。
【００３２】
図３は、本発明による空気調和機１のフィルタ清掃通知に係る処理を説明するフローチャートである。図３の処理が開始される条件として、リモコン３０から空気調和機１の運転を開始する操作が行われ、その操作を受付けた制御部１７が図示しない室内機１０の各部と室外機２０に空調運転の開始を指示したものとする。なお、フローチャートに記載のＳＴはステップを表し、これに続く数字はステップ番号をそれぞれ表している。
【００３３】
制御部１７は、空気調和機１の空調運転が開始されると計時部１２で計時している空調運転時間をリセットして新たに空調運転時間の計時を開始させる（ＳＴ１）。なお、制御部１７は計時部１２で計時させた空調運転時間を、記憶部１４に記憶されている積算運転時間に逐次加算して記憶する。続いて、リモコン３０から清掃可能曜日の設定操作を受付けたか否かを確認する（ＳＴ２）。
【００３４】
制御部１７はＳＴ２において、清掃可能曜日の設定操作を受付けていない場合（ＳＴ２−Ｎｏ）、記憶部１４に記憶されている積算運転時間とフィルタ清掃を必要とする積算運転時間の上限値を参照し、積算運転時間がフィルタ清掃を必要とする積算運転時間の上限値に達したか否かを確認する（ＳＴ３）。積算運転時間がフィルタ清掃を必要とする積算運転時間の上限値に達している場合（ＳＴ３−Ｙｅｓ）、通知部１３の表示灯を点灯するなどしてフィルタの清掃を促す通知をする（ＳＴ４）。
【００３５】
続いて制御部１７は、入力部１１から利用者がフィルタの清掃を行った後に行う、フィルタの清掃を促す通知を解除する操作を受付けたか否かを確認する（ＳＴ５）。通知を解除する操作を受付けていない場合（ＳＴ５−Ｎｏ）、リモコン３０から空気調和機１の空調運転を停止する操作を受付けたか否かを確認する（ＳＴ６）。空調運転を停止する操作を受付けていない場合（ＳＴ６−Ｎｏ）、ＳＴ２へ戻る。
【００３６】
制御部１７はＳＴ２において、リモコン３０から清掃可能曜日の設定操作を受付けた場合（ＳＴ２−Ｙｅｓ）、受付けた清掃可能曜日の情報を記憶部１４に上書きして記憶する（ＳＴ７）。そしてＳＴ３へジャンプする。
【００３７】
制御部１７はＳＴ３において、積算運転時間がフィルタ清掃を必要とする積算運転時間の上限値に達していない場合（ＳＴ３−Ｎｏ）、記憶部１４に清掃可能曜日が記憶されているか否かを確認する（ＳＴ８）、清掃可能曜日が記憶されていない場合（ＳＴ８−Ｎｏ）、ＳＴ５へジャンプする。
【００３８】
一方、制御部１７はＳＴ８において、記憶部１４に清掃可能曜日が記憶されている場合（ＳＴ８−Ｙｅｓ）、図２で説明したように、記憶部１４に記憶されている積算運転時間の積算開始日と、計時部１２で計時されている現在の日付に基づいて積算開始日からの経過日数を算出し、記憶部１４に記憶されている積算運転時間を算出していた積算開始日からの経過日数で除算することで、積算開始日から現在の日付までの１日当たりの平均積算運転時間を算出する。また、算出した１日当たりの平均積算運転時間に、記憶部１４に記憶されている清掃可能曜日と、計時部１２で計時されている現在の曜日に基づいて算出した現在日付以降に到来する次の清掃可能曜日までの日数を乗算し、現在の日付から次の清掃可能曜日までの予測空調運転時間を算出する。（ＳＴ９）。
【００３９】
続いて、制御部１７は図２で説明したように、ＳＴ９で算出した現在の日付から次の清掃可能曜日までの予測空調運転時間に、記憶部１４に記憶されている積算運転時間を加算して積算運転時間の積算開始日から次の清掃可能曜日までの予測積算運転時間を算出する。（ＳＴ１０）。そして、記憶部１４に記憶されているフィルタ清掃を必要とする積算運転時間の上限値と、ＳＴ１０で算出した積算運転時間の積算開始日から次の清掃可能曜日までの予測積算運転時間を比較し、予測積算運転時間がフィルタ清掃を必要とする積算運転時間の上限値以上であるか否かを確認する（ＳＴ１１）。
【００４０】
制御部１７はＳＴ１１において、予測積算運転時間がフィルタ清掃を必要とする積算運転時間の上限値以上である場合（ＳＴ１１−Ｙｅｓ）、ＳＴ４へジャンプする。一方、予測積算運転時間がフィルタ清掃を必要とする積算運転時間の上限値以上ではない場合（ＳＴ１１−Ｎｏ）、ＳＴ５へジャンプする。
【００４１】
制御部１７はＳＴ５において、入力部１１からフィルタの清掃を促す通知を解除する操作を受付けた場合（ＳＴ５−Ｙｅｓ）、記憶部１４に記憶されている積算運転時間と計時部１２で計時している空調運転時間をリセットし、新たに計時部１２で空調運転時間の計時を開始させ、記憶部１４に積算運転時間の新たな積算開始日として現在の日付を記憶する（ＳＴ１２）。そしてＳＴ６へジャンプする。
【００４２】
制御部１７はＳＴ６において、空気調和機１の空調運転を停止する操作を受付けた場合（ＳＴ６−Ｙｅｓ）、計時部１２で計時している空調運転時間を記憶部１４に記憶されている積算運転時間に加算して記憶し、計時部１２に空調運転時間の計時を停止させる（ＳＴ１３）。そして図示しない室内機１０の各部と、通信部１５を介して室外機２０に空調運転を停止させ処理を終了する。
【００４３】
図３で説明した処理を行うことにより、利用者は自らが設定したフィルタ清掃の可能な曜日までに予測される積算運転時間が、フィルタ清掃を必要とする所定の積算運転時間の上限値に達する時期に、フィルタ清掃の通知を受けることができる。このため、利用者によってフィルタ清掃を行うことができる曜日が限られていたとしても、フィルタ清掃が必要な時期を経過するよりも前にフィルタ清掃が行われ易くなり、空調運転の省エネ性を高めることができる。
【符号の説明】
【００４４】
１ 空気調和機
１０  室内機
１１  入力部
１２  計時部
１３  通知部
１４  記憶部
１５  通信部
１６  リモコン通信部
１７  制御部
２０  室外機
３０  リモコン
【図１】
2016151368.tif 000003
【図２】
2016151368.tif 000004
【図３】
2016151368.tif 000005